(57)【特許請求の範囲】
【請求項１】
内部空間の浮力で浮上可能とした横向き円筒状の外殻体を、海底に固定した係留材で浮力に抗して海中に係留させ得る海中倉庫であって、
ａ）前記内部空間の上側には、貯蔵物を収容するための貯蔵室を、下側には、海水と空気を交換することで浮力の調節を行う浮力調節室を配設し、前記貯蔵室に臨む外周面には、貯蔵物を搬入するための搬入部と、貯蔵物を搬出するための搬出部とを配設し、
ｂ）前記外殻体の両端部と前記係留材との間には、前記係留材の係留幅を変えて水深位置を調節する水深調節機構を設け、
ｃ）前記外殻体の前記両水深調節機構の下部には、前記各係留材をそれぞれ上下往復可能に把持したスライダを配すると共に該両スライダを前記外殻体の円周方向に移動させる外周移動機構を設け、
ｄ）前記浮力調節室には、室内上部に設けた通気口から室内の空気を海上に開口させた通気パイプを介して出し入れしつつ同時に室内下部に設けた通水口から室内の海水の吸入と排出を行う浮力制御機構を設け、
て成ることを特徴とする海中倉庫。
【請求項２】
浮力制御機構が、通気パイプにはエアーポンプを設けると共に通水口には吸水及び排水を可能とする電磁弁を設け、前記通気口から前記エアーポンプで浮力調節室内の空気の出し入れを行いつつ同時に通水口から前記電磁弁を開閉させて浮力調節室内の海水の吸入と排出を行うことで浮力の制御を可能としたことを特徴とする請求項１に記載の海中倉庫。
【請求項３】
水深調節機構が、外殻体に設けたモータの回転で係留材を巻き取る巻取ドラムを備え、該巻取ドラムの正逆の回転で係留材の巻き取りと送り出しを行うことで該係留材の係留幅を変えられるようにしたことを特徴とする請求項１又は２に記載の海中倉庫。
【請求項４】
外周移動機構が、外殻体の周囲にスライダが移動する軌道を設けて該スライダが該軌道を移動可能とし、該スライダをモータの駆動でチェーン又はワイヤーを介して移動可能としたことを特徴とする請求項１から３のうちのいずれかに記載の海中倉庫。
【請求項５】
浮力調節室の空間を複数に仕切り、各空間をそれぞれ気密に独立させる分割壁を設けたことを特徴とする請求項１から４のうちのいずれかに記載の海中倉庫。
【請求項６】
外殻体の両端部に、浮力調節室に海水が満杯になっても外殻体が浮上可能となる浮力が確保できる容積の気密な浮力維持室を設けたことを特徴とする請求項１から５のうちのいずれかに記載の海中倉庫。
【請求項７】
浮力維持室内に、モータ等の駆動装置、バッテリー等の電源装置、制御盤、配線等の電気関係部材を配置したことを特徴とする請求項６に記載の海中倉庫。
【請求項８】
床面に自重で搬出部に向かって貯蔵物が流れるように導かれる傾斜誘導面を設けたことを特徴とする請求項１から７のうちのいずれかに記載の海中倉庫。
【発明の詳細な説明】
【技術分野】
【０００１】
本発明は海中に水没させて使用する倉庫に関する。
【背景技術】
【０００２】
海中は、水温の変動幅が少なく物資を定温保管するに適した環境が得られ、且つ人が容易に近づくことができないので防犯上も極めて安全な場所であるが、漁業以外の産業には殆ど利用されていない。
その理由は、海中では深さに応じて大きな水圧を受け、その中に利用空間を確保するには周囲を海水が入り込まないように密閉し、且つ大きい水圧によって押し潰されない強度を有する構造体を製造する必要があるが、それを海中で製造することは大変に困難であり、更に、その構造体を使用するに当たっては周囲が海水に取り囲われるため収納した商品等の物品の出し入れが大変に困難となるからである。
【０００３】
そのような事情の中で、海中を利用することについて、例えば、下記特許文献１には海底に大陸棚都市を建設する構想が提案されているが、その規模は巨大であり、都市の周囲を大きい水圧に耐えられるような構造体で囲うには莫大な費用と長期間危険を伴う工事が必要となり、現実的な提案とは言い難い。
一方、下記特許文献２には、米の食料保管設備を海底に設ける提案がなされているが、海底における現場施工が必要であるため実際の設置は難しい。更に、その設備は荷物の出し入れを海岸から海底まで適度な下り勾配を持った通路を設けて行うものであり、このため設置場所が海岸に近くに限定されてしまう上に海岸縁付近の陸上にも用地を確保して関連施設を設置することが必要となるため実施には技術的な面以外に人為的な許認可等に多くの制約が加わることとなる。又、その設備の使用に当たっては、運搬船から保管場所へ直接物資の出し入れを行うことができないので非効率的である。
【先行技術文献】
【特許文献】
【０００４】
【特許文献１】特開平６−２２１００３
【特許文献２】特開平８−２２５１２２
【発明の概要】
【発明が解決しようとする課題】
【０００５】
上記各特許文献の提案は、いずれも設備が海底の一定空間を囲うように設置されるため、海水の進入を防ぐための防水対策、高い水圧に耐えるための水圧対策、広い設備空間に発生する巨大な浮力に対抗させて浮き上がるのを防ぐ浮力対策等の困難な対策が必要となるが、そのための有効な構造が示されておらず、更に、海の中で運搬船からの荷物の出し入れ等を行って倉庫として使用するに適する構造とはなっていない。
そこで本発明は、個人所有権はなく自由に利用できるものの陸上とは異なり海水に囲われ常時巨大な水圧や浮力等が存在する物理的悪条件下にある海中において、場所を選ばずに多量の貯蔵物を収納可能な広い空間を確保すると共にその空間に穀物等の貯蔵物の出し入れを容易に行うこができる海中倉庫を提供することを目的とする。
【課題を解決するための手段】
【０００６】
上記課題を解決するため、本発明の海中倉庫は、内部空間の浮力で浮上可能とした横向き円筒状の外殻体を、海底に固定した係留材で浮力に抗して海中に係留させ得る海中倉庫であって、ａ）前記内部空間の上側には、貯蔵物を収容するための貯蔵室を、下側には、海水と空気を交換することで浮力の調節を行う浮力調節室を配設し、前記貯蔵室に臨む外周面には、貯蔵物を搬入するための搬入部と、貯蔵物を搬出するための搬出部とを配設し、ｂ）前記外殻体の両端部と前記係留材との間には、前記係留材の係留幅を変えて水深位置を調節する水深調節機構を設け、ｃ）前記外殻体の前記両水深調節機構の下部には、前記各係留材をそれぞれ上下往復可能に把持したスライダを配すると共に該両スライダを前記外殻体の円周方向に移動させる外周移動機構を設け、ｄ）前記浮力調節室には、室内上部に設けた通気口から室内の空気を海上に開口させた通気パイプを介して出し入れしつつ同時に室内下部に設けた通水口から室内の海水の吸入と排出を行う浮力制御機構を設けて成ることを特徴とする。
【０００７】
請求項２の発明は、上記発明において、前記浮力制御機構が、通気パイプにはエアーポンプを設けると共に通水口には吸水及び排水を可能とする電磁弁を設け、前記通気口から前記エアーポンプで浮力調節室内の空気の出し入れを行いつつ同時に通水口から前記電磁弁を開閉させて浮力調節室内の海水の吸入と排出を行うことで浮力の制御を可能としたことを特徴とする。
【０００８】
請求項３の発明は、上記発明において、前記水深調節機構が、外殻体に設けたモータの回転で係留材を巻き取る巻取ドラムを備え、該巻取ドラムの正逆の回転で係留材の巻き取りと送り出しを行うことで該係留材の係留幅を変えられるようにしたことを特徴とする。
【０００９】
請求項４の発明は、上記発明において、前記外周移動機構が、外殻体の周囲にスライダが移動する軌道を設けて該スライダが該軌道を移動可能とし、該スライダをモータの駆動でチェーン又はワイヤーを介して移動可能としたことを特徴とする。
【００１０】
請求項５の発明は、上記発明において、前記浮力調節室の空間を複数に仕切り、各空間をそれぞれ気密に独立させる分割壁を設けたことを特徴とする。
【００１１】
請求項６発明は、上記発明において、前記外殻体の両端部に、浮力調節室に海水が満杯になっても外殻体が浮上可能となる浮力が確保できる容積の気密な浮力維持室を設けたことを特徴とする。
【００１２】
請求項７発明は、上記発明において、前記浮力維持室内に、モータ等の駆動装置、バッテリー等の電源装置、制御盤、配線等の電気関係部材を配置したことを特徴とする。
【００１３】
請求項８の発明は、上記発明において、前記床面に自重で搬出部に向かって貯蔵物が流れるように導かれる傾斜誘導面を設けたことを特徴とする。
【発明の効果】
【００１４】
本発明の海中倉庫は、海底に固定して建設する構造物ではなく、上記構成なので、海底に固定した係留材で浮力に抗して外郭体が海中に係留され浮遊状態に設置され、該外郭体内に設けた貯蔵室内には各種の貯蔵物を貯蔵、・保管することが可能となる。
そして、前記外殻体は円筒形なので大きな水圧に耐えることができるので、係留材が海底に固定できる深さであれば海中深く設置でき、又、該係留材を海底から離してクレーン船等で引き上げて移動させることで設置場所を自由に選択することができる。  
該外郭体は、前記水深調節機構による海中での昇降が可能となる。このため、海中の水深によって異なる水温の中から最適な水温が得られる位置を自由に選択し、冷暖房設備がなくとも一定の適温を保持して穀物等の貯蔵物を鮮度が失われないように貯蔵することが可能となる。
【００１５】
製造については、外郭体、床面等の装置全体を陸上の工場で組み立てることが可能であり、その際に、環境が海水中ではなく、陸上の空気中なので、溶接等で鉄板を繋ぎ合わせる組み立て作業等を容易に行うことができる。このため、海中での空気漏れや漏水が起こさず、高い水圧でも壊れない強固な構造物を容易に得ることが可能となる。
【００１６】
海中においては、前記外郭体の両側に繋いだ該係留材の長さを調節することで円筒状の外郭体の中心方向の水平性を維持させる。
又、前記外周移動機構による外殻体の周方向の回動により、スライダが円筒形の外殻体の外周に添って移動する際に、該スライダに出没可能に把持された係留材によって該スライダが常に外殻体の最下部へと引き下げられるが、この反動で外殻体が周方向に回動する。
従って、前記外周移動機構によって外殻体を周方向に回動させることで、外殻体の周方向の水平性を保持させることが可能となる。このように外殻体を中心方向と周方向に調節することで、貯蔵室の床面を水平に保つことが可能となる。
又、同時に前記浮力制御機構で前記外郭体の下側の浮力調節室内の空気を抜いて浮力を減少させることで、前記外郭体の上側の貯蔵物を収容した貯蔵室の床面の確実な水平安定性を保持させることが可能となる。
この結果、前記水深調節機構によって、前記外郭体を海中深く沈め、床面を水平とした貯蔵室内で貯蔵物の長期間に及ぶ静止状態での保管が可能となる。又同時に前記浮力調節室内の浮力の減少で係留材を引き上げようとする引っ張り力が減少するので恒常的な係留材に対する負荷が緩和され、係留材の寿命を延ばすことが可能となる。
【００１７】
前記貯蔵室の搬入部及び搬出部からの貯蔵物の出し入れについては、前記水深調節機構による海中から海面への浮上と、前記外周移動機構による外殻体の周方向の回動と、前記浮力制御機構による浮力調節室による外殻体の浮力の調節とを行うことで、容易に海上での搬入・搬出作業を行うことが可能となる。
【００１８】
請求項２の発明においては、前記浮力制御機構によって、海面上で常時大気中に開かれた海上に開口部から通気パイプで常に空気の出し入れを行いつつ浮力調節室内の海水と空気の交換を行って装置全体の重量及び貯蔵室内の貯蔵物の重量と、貯蔵室内の空気の量及び浮力調節室の空気の量との制御を行い、海中に浮遊した外殻体の浮力を制御することが可能となる。
【００１９】
請求項３の発明においては、前記水深調節機構のモータの回転で巻取ドラムの正逆の回転を行い、該巻取ドラムで前記係留材の巻き取りと送り出しを行うことで該係留材の係留幅を変えて確実に海中における水深位置を決めることが可能となる。
【００２０】
請求項４の発明においては、前記外殻体の周囲にスライダが移動する軌道を設けて該スライダが該軌道を移動可能とした外周移動手段によって、該スライダがモータの駆動でチェーン又はワイヤーを介して移動させることができようになり、このため前記係留材を把持したスライダが安定して外殻体の周囲を移動可能となる。
該スライダが移動すると前記外殻体の浮力で緊張している前記係留材によって前記スライダが常に外殻体の最下部に引き下げられることで前記外殻体が回動する。そしてこの外殻体の回動によって床面が傾斜することとなる。この床面の傾斜によって、海面に浮上した際に、海面上に浮上させた前記貯蔵室から貯蔵物の出し入れが容易となる。
又、回転で外殻体の全周囲の海面からの露出が可能となるので、容易に海上での外殻体のメンテナンスが可能となる。
【００２１】
請求項５の発明においては、前記浮力調節室に該室内空間を複数に仕切る分割壁を設け、該分割壁で仕切られた個々の空間をそれぞれ気密に独立させることで、各空間の空気の量を変えて外殻体を横方向へ傾斜を助けることが可能となる。又事故等により独立空間の一つが漏水しても他の空間の浮力により浮上させることが可能となる。
【００２２】
請求項６の発明においては、前記外殻体の両端部に、浮力調節室に海水が満杯になっても外殻体が浮上可能となる浮力が確保できる容積の気密な浮力維持室を設けることで、浮上可能となる一定の浮力が浮力維持室の容量分常に確保でき、浮力調節室や貯蔵室が漏水事故を起こしても海底まで沈没する危険を避けることができる。
【００２３】
請求項７の発明にあっては、前記浮力維持室内に、モータ等の駆動装置、バッテリー等の電源装置、制御盤、配線等の電気関係部材を配置することで、各種の使用電気関係部材や駆動用部品が浮力調節室や貯蔵室から隔絶されると共に外部の海水からも隔絶されて、室内の空気中において海水の接触から免れ、塩水による故障が防止され、修理・点検等のメンテナンスのためのランニングコストを少なくすることが可能となる。
【００２４】
請求項８の発明にあっては、傾斜誘導面によって前記床面から搬出部に向かって、ベルトコンベア等の搬出装置を用いることなく、貯蔵物が自重で床面を流れ落ちようにすることが可能となる。そして、前記搬出部から滞りなく貯蔵室の外に貯蔵物を排出でき、船積み作業が容易となる。
【図面の簡単な説明】
【００２５】
【図１】本発明の斜視図である。
【図２】本発明の縦断側面である。
【図３】（イ）が外殻体を浅い水深に置いた状態、（ロ）が外殻体を深い水深に置いた状態を示す各縦断側面図である。
【図４】（イ）が床面を水平した状態、（ロ）が床面を傾斜させる途中の状態（ハ）が床面を傾斜させた状態、（ニ）が床面を立てるように傾斜させた状態を示す各縦断側面図である。
【図５】（イ）が床面を傾斜させて貯蔵物を搬出している状態、（ロ）が床面を傾斜させて貯蔵物を搬入している状態を示す各縦断側面図である。
【発明を実施するための形態】
【００２６】
本発明の実施形態を、以下図を参照して説明する。
本発明の海中倉庫１は、図１に示すように、外周全体を気密に覆った横向き円筒状の耐水圧性外殻体２の内部に、その内部空間を気密となるように上下に仕切る床面３を設けて該床面３の上側には貯蔵物Ｃを収容するための貯蔵室４を、下側には海水と空気の量を交換することで前記外殻体２の浮力の調節を行う浮力調節室５を夫々形成する。
該外殻体２は厚手の鉄板製とし、耐水圧性を高めるために該鉄板の内部面にリブを設けて板面を補強したり、多層構造の壁面とするなどの対策を施すと良い。なお、前記外殻体の径の大きさや横方向の長さについては特に限定するものではなく、貯蔵物の容量に応じたサイズに設計することができる。
【００２７】
対象となる貯蔵物Ｃは、手に取ると粒子がばらけるような、ばら積のとうもろこし、ピーナッツ、コーヒー豆、麦の如き粒子状流動性農産物等であり、穀物等の種子も含まれる。これらの貯蔵物Ｃは植物の種子由来の物である場合には品質保持のための温度管理は重要である。又、真水、薬液、廃液、石油等の液体でも貯蔵が可能である。海中は地上のように毎日大きな温度変化が起こるものではなく、殆ど一定温度を維持しているので温度管理が容易となる。
なお、貯蔵室４内の温度管理や湿度管理等の空気の管理を行うことが可能であり、図示はしないが、例えば貯蔵室４内にヒーター、クーラー、加湿器、除湿機、温度センサー、湿度センサー、水平感知センサー等を設けて、これらの装置をコンピュータで自動制御することも可能である。
【００２８】
又、前記外殻体２の前記貯蔵室４の上部の天井面に搬入部１０を設け、又、該貯蔵室４の床面３にはその床上面に続くように搬出部１１を設ける。
そして、該搬入部１０及び搬出部１１には、貯蔵室４内とその外の海水側とを気密に仕切り且つ深い水深の海水から受ける大きな水圧に耐えられる耐圧性の扉を設ける。
なお、図示しないが、前記搬入部１０は前記搬出部１１と同じ場所において兼用させることも可能である。
【００２９】
更に、前記搬入部１０及び搬出部１１の各扉には倉庫管理者のボタン操作による電気的指令により制御されるモータの稼動で自動開閉可能な駆動開閉装置を設け、各扉の開閉を遠隔操作で行えるようにする。
【００３０】
又、海底Ｋにワイヤーやチェーン等の紐状の係留材７に吊ってアンカー２６を下ろし、該アンカー２６の上部を、該係留材７の係留幅Ｌを変えることで前記外殻体２の水深Ｄ位置を調節する水深調節機構６を介して、空中に浮かぶアドバルーンの如く海中Ｕに浮遊した前記外殻体２を繋ぐ。
その際、前記外殻体２の両端部の下部に、それぞれ前記係留材７を上下往復可能に把持したスライダ８を装着すると共に該スライダ８を前記外殻体２の円周方向に移動させる外周移動機構９を備える。
即ち、該外周移動機構９のスライダ８は前記水深調節機構６の係留材７を把持して該外周移動機構９と水深調節機構６とが連動可能となるように設ける。
前記水深調節機構６及び外周移動機構９は、図１及び図２に示すように、円筒状の外殻体２の両端部に左右対称に設け、前記両係留材７の長さを夫々調節して外殻体２の中心軸が水平状態となるようにする。
【００３１】
前記アンカー２６は、前記係留材７の海底Ｋへの固定が、貯蔵室４の貯蔵物Ｃを空にして前記浮力調節室５に空気を満杯に入れた際の前記外殻体２が海中で受ける浮力に抗して全てを合計して海底方向へ牽引する力となる重量を有する金属製又はコンクリート製のアンカー２６を使用する。
前記外殻体２の両側を係留するアンカー２６を２個用いて夫々に係留材７を固定し、各係留材７を前記外殻体２の両端部にそれぞれ固定した図１に示した態様では、海中で横向き中心の方向を水平方向に維持した状態で前記外殻体２を安定的に係留しておくことが可能となる
なお、図示はしないが、アンカー２６は１個でも浮き上がらない重量があれば、その１個のアンカー２６から２本の係留材７を設ける態様や、それ以上沈めることのない深い水深部分以下は１本の係留材７とし、それ以上の上部部分は係留材７を２本に枝分かれさせた形態も可能である。
【００３２】
又、前記浮力調節室５に空気を取り込むために、発泡スチロール製の浮き１４を付設して海面上に浮かべ、大気中に開口させた海上通気口１３ｂを有する通気パイプ１３の基部を前記浮力調節室５の上部に設けた通気口１３ａに接続し、該通気口１３ａからエアーポンプ２４で強制的に空気の出し入れを行いつつ、同時に前記浮力調節室５の下部に設けた通水口１５、１６からの海水の吸入と排出を連動させて行う浮力制御機構１２を備える。
即ち、前記浮力調節室５内に取り入れた海水の水位Ｗの調節で空気の量が調節され該空気の量によって浮上しようとする外殻体２に加わる浮力が変わる。
前記浮力調節室５内の空気の強制的な出し入れはモータで稼動するエアーポンプ２４で行い、この稼動と連動して前記浮力調節室５の下部壁面の通水口１５、１６に設けた吸水電磁弁１５ａ及び排水電磁弁１６ａを電気的に制御して開閉させる。
なお、図１では吸水と排水を行う該通水口１５、１６を１箇所で連結させた態様を示したが、吸水用と排水用の通水口１５、１６を別々に設け、それぞれに吸水電磁弁１５ａ及び排水電磁弁１６ａを装着した形態も可能である。そして、前記吸水電磁弁１５、排水電磁弁１６を設けた通水口１５、１６には吸水ポンプ及び排水ポンプを設け、空気の吸入と連動させるコンピュータ制御で稼動させ、強制的に吸水及び排水を行えるようにすることも可能である。
【００３３】
前記水深調節機構６、浮力制御機構１２及び外周移動機構９を稼動させるための操作は海上からの通信によって行う。その通信は、水中での超音波通信や赤外線通信等で行うことも可能であるが、前記海上通気口１３ｂに大気中のアンテナを配して該通気パイプ１３に添わせて設けた通信ケーブルを稼動制御部に接続して、確実に陸上や船の中から遠隔制御することが可能である。
【００３４】
前記水深調節機構６は、図１及び図２に示すように、前記外殻体２に設けたモータ１７の回転で係留材７を巻き取る巻取ドラム１８を外殻体２の端部中央に備え、該巻取ドラム１８の正逆の回転で前記スライダ８の中を通る係留材７の巻き取りと送り出しを行うことで係留幅Ｌを変えられるようにする。
そして、図３に示すように、浮力で浮き上がろうとしている前記外殻体２は前記係留幅Ｌを長くすると浮上し水深Ｄが浅くなり、短くすると下に引かれる前記外殻体２が沈降して水深Ｄが深くなる。
【００３５】
前記浮力制御機構１２は、エアーポンプ２４の空気吸い込みと前記排水電磁弁１６ａの開放による通水口１６の通水制御を同時に行って前記浮力調節室５に空気量を増加させて浮力を高め、逆にエアーポンプ２４の空気の排出と前記吸水電磁弁１５ａの開放による通水口１５の通水制御を同時に行って前記浮力調節室５から空気を外に出して浮力を減少させるものであり、前記貯蔵室４内の空気の量を調節しつつ本発明の海中倉庫１本体の重量及び貯蔵室４内の貯蔵物Ｃの重量と、貯蔵室４内の空気の量及び浮力調節室５内の空気の量でバランスをはかって任意の水深Ｄを維持して海中に浮遊させる。各部の合計重量よりも貯蔵室４内の空気の量及び浮力調節室５内の空気の量が少なくなって相対的に浮力が小さくなると外殻体２は海底に沈んでしまうので、前記外殻体２が浮き上がることが可能な浮力を常に得られるように浮力を制御する。
【００３６】
そして、図３の（イ）に示すように、前記係留材５の係留幅Ｌを長くすれば、前記外殻体２は浮上するが、同時に浮力調節室５内の海水を空気と入れ替えることで浮力を増大させて前記外殻体２の浮上を助けることができる。
逆に、図３の（ロ）に示すように、前記係留材５の係留幅Ｌを短くすれば、前記外殻体２は沈んで行くが、同時に浮力調節室５内の空気を海水と入れ替えることで浮力を減少させて前記外殻体２の沈降を助けることができる。
【００３７】
前記外周移動機構９は、図１及び図２に示すように、前記外殻体２の周囲にスライダ８が移動する軌道１９を設けて該スライダ８が該軌道１９を移動可能に装着する。
このため、前記スライダ８には前記軌道１９に乗って回転する前後のフリー走行輪３０を備え、そのフリー走行輪３０の間に前後で係留材５を間に把持して上下に円滑に移動させる係留材ガイドローラ２９を備える。
該スライダ８の移動は、図４に示すように、貯蔵室４の上部に設けたモータ２０の駆動で鎖又はワイヤー２１を引いて前記外殻体２の周方向に前記軌道１９上を移動できるようにする。
該図４では、（イ）は床面を水平してスライダ８が移動していない状態を示す。そして、図４の（ロ）が床面を傾斜させる途中の状態を示し、この際、スライダ８が図の左側に移動すると、前記外殻体２に発生する浮力の反作用で前記係留材７を下に引っ張る張力が発生し、この張力でスライダ８が下に移動させられる。この結果、図４の（ハ）に示すように、外殻体２が回転し床面を傾斜させた状態となる。更にスライダ８を図の左側へ移動させると図４の（ニ）に示すように床面を立てるように傾斜させた状態となる。
【００３８】
該ワイヤー２１は、図２及び図３に示すように、前記外殻体２を一周させ、その上部でガイド輪２７に掛けて、巻き送りドラム２８へ掛け、該巻き送りドラム２８をモータ２０で回転させることでチェーン又はワイヤー２１を引くことが可能となる構造とすることができる。
図３及び図４では巻き送りドラム２８を内部に設けたため軌道１９から巻き送りドラム２８へワイヤー２１を屈曲させて導くガイド輪２７を備える。
【００３９】
前記チェーン又はワイヤー２１を引いて行われる前記外殻体２の回動は、図５に示すように、貯蔵室４内の貯蔵物Ｃを置く床面３を傾斜させることとなるので、貯蔵物Ｃが自重で傾斜下側へ転がり落ちる。この先に搬出部１１があれば貯蔵物Ｃが自然に出て行くこととなる。
前記貯蔵室４を前記水深調節機構６及び前記浮力制御機構１２によって海面上まで浮上させ、前記スライダ８を移動させることによって前記貯蔵室４の床面３を傾斜させるが、図５の（イ）に示すように、搬出部１１の下に運搬船Ｂが待ち受けていて、その荷物室に貯蔵物Ｃが流れるように自然に入って行くこととなる。
又、搬入する際には、図５の（ロ）に示すように、前記水深調節機構６で前記外殻体２が没するまで沈めて搬入部１０の受け口を海面上に突出させ、その口に運搬船Ｂの移送管から貯蔵物Ｃを落とすように流し込めば良い。
【００４０】
なお、貯蔵物Ｃが穀物である場合、海中深く穀物を保管中であっても、随時前記外殻体２を回転させて床面３を傾斜させることで貯蔵穀物を攪拌し、貯蔵室４で管理された空気に晒すことで腐敗を防止し、新鮮さを維持させることが可能となる。
前記貯蔵室４内部の空気の入れ替えは、前記浮力制御機構１２の備わる通気パイプ１３を利用し、該前記通気パイプ１３の途中を貯蔵室４に連通させ、その連通路にエアーポンプを設け、そのポンプの稼動を制御することで可能となる。
【００４１】
前記浮力調節室５は、その室内空間を複数に仕切る分割壁２２を設けることができる。
この形態では、図１及び図２に示すように、空間を分割壁２２で仕切り、個々の空間５ａ、５ｂ、５ｃ、５ｄをそれぞれ気密に独立させる。
例えば該図１及び図２では４つの仕切られた空間５ａ、５ｂ、５ｃ、５ｄを設けた態様を示している。
それらの個々の空間５ａ、５ｂ、５ｃ、５ｄには夫々の空間内の水位Ｗに海水を入れて、その上の空間には空気が溜まり、この空気の量によって浮力が調節される。
前記外殻体２の両側の傾斜は両側の係留材７の巻き取り量で調節可能となるが、該分割壁で仕切られた個々の空間をそれぞれ気密に独立させることで、両端側の空間の空気の量を変えて、前記外殻体２の横方向の浮力を相違させることで異なる浮力バランスとすることで貯蔵室４の床面３の傾斜を促すことが容易となる。
その際、前記前記外殻体２の回転による傾斜とは別に、前記外殻体２の中心軸を傾けることで、回転による傾斜と同様に穀物が自重で該中心軸方向に流れ、その際、貯蔵室４内の一定温度の空気に晒されて穀物の新鮮さを維持させることが可能となる。
又、事故等により独立空間の一つが漏水しても他の空間の浮力で浮上させることが可能となるので安全性が高められる。
【００４２】
又、外殻体２の両端部に、浮力調節室５に海水が満杯になっても外殻体２が浮上可能となる浮力が確保される容積の気密な浮力維持室２３を設けることができる。
この形態では、浮力維持室２３内には海水が入らないので、塩水による内部の金属部品の腐食が防止でき、前記浮力維持室２３内に、モータ、エアーポンプ２４等の駆動装置、バッテリー等の電源装置、制御盤、配線等の電子基盤や電気通信ケーブル等の各種の部品や部材を配置することができる。
【００４３】
又、前記床面３には搬出部１１に向かって傾斜する傾斜誘導面２５を設けることができる。
この形態では、前記外周移動機構９のスライダ８の移動によって床面３が傾斜されると、床面３上の粒状の貯蔵物Ｃが該傾斜誘導面２５に導かれて、貯蔵物Ｃが自重で搬出部１１の開いた扉に向かって流れ出す。このとき、図５の（イ）に示すように、該扉の下に運搬船Ｂを留めて置けば、その船内に穀物等の農産物が流出し、前記貯蔵室４にあった貯蔵物Ｃを残さずに速やかに搬出させることが可能となる。
【００４４】
（搬出作業の手順）
搬出作業の手順は、先ず、浮力調節室５の内部の海水を空気に交換することで前記外殻体２の浮力を高めて海中の上昇力を高める。
そして、前記水深調節機構６による係留材７の係留幅Ｌを長く、図３の（ロ）の状態から（イ）の状態にすることで、図４の（イ）から（ハ）に示すように、前記外殻体２を海面Ｓまで浮上させる。
更に、図４の（イ）から（ハ）に示すように、前記浮力調節室５の内部の海水を殆ど排出させて空気を充満させることで貯蔵室４の床面３が海面よりも高くなるまで外殻体２を浮上させ、図５の（イ）に示すように、貯蔵室４の搬出部１１を輸送船Ｂへ甲板より高い位置にまで高めることが可能となる。
そして、前記貯蔵室４の搬出部１１が下向きになるように床面３を傾斜させて、該搬出部１１を運搬船Ｂの甲板より上に浮上させ、前記外周移動機構９により前記スライダ８を周方向に回動させて前記貯蔵室４の搬出部１１が下向きになるように床面３を傾斜させ、搬出部１１を開くことで貯蔵物Ｃは床面３を流れ落ち、搬出部１１から運搬船Ｂへ搬出される。
こように、容易に自重流出による貯蔵物Ｃの搬出が行えるようになる。
【００４５】
（搬入作業の手順）
搬入作業の手順は、上記搬出手順で浮上した外殻体２の搬出部１１を閉じ、前記浮力調節室５の内部に海水を入れて空気を減らし、同時に、図５の（ロ）に示すように、前記水深調節機構６により係留材７の係留幅Ｌを短くすることで記貯蔵室４上部の搬入部１０のみが海面Ｓ上に浮上した状態にまで外殻体２を沈める。この結果、前記貯蔵室４が運搬船Ｂより下方となり、搬入部１０を開くと運搬船Ｂ内にある貯蔵物Ｃが移送管から流れ落ちるように貯蔵室４へと搬入される。
【産業上の利用可能性】
【００４６】
本発明は紐状の係留材で海底に係留して海中で浮遊状態に設置するものであるが、外殻体の全体が水面下に没し、且つ底に前記係留材で係留することが可能な程度に水深が深ければ河川や湖沼の水中に設置することも可能である。
【符号の説明】
【００４７】
１  海中倉庫
２  外殻体
３  床面
４  貯蔵室
５  浮力調節室
６  水深調節機構
７  係留材
７ａ  係留材の下端部
８  スライダ
９  外周移動機構
１０  搬入部
１１  搬出部
１２  浮力制御機構
１３  通気パイプ
１３ａ  通気口
１３ｂ  海上通気口
１４  浮き袋
１５  通水口
１６  通水口
１５ａ  吸水電磁弁
１６ａ  排水電磁弁
１７  モータ
１８  巻取ドラム
１９  軌道
２０  モータ
２１  ワイヤー
２２  分割壁
５ａ、５ｂ、５ｃ、５ｄ  分割空間
２３  浮力維持室
２４  エアーポンプ
２５  傾斜誘導面
２６  アンカー
２７  ガイド輪
２８  巻き送りドラム
２９  係留材ガイドローラ
３０  フリー走行輪
Ｃ  貯蔵物
Ｋ  海底
Ｕ  海中
Ｓ  海面
Ｄ  水深
Ｌ  係留幅
Ｂ  輸送船
Ｗ  浮力調節室内の水位
【図１】
0006314084.tif 000002
【図２】
0006314084.tif 000003
【図３】
0006314084.tif 000004
【図４】
0006314084.tif 000005
【図５】
0006314084.tif 000006